(57)【要約】【課題】各種電源のアシスト用等に使用される電気二重層キャパシタに関し、低抵抗化を図ることを目的とする。【解決手段】一対の電極を対向する端面から取り出した素子１と、素子１の一方から取り出した複数の陽極電極に一端が接合され、他端が素子１の下面に配設された陽極端子５と、素子１の他方から取り出した複数の陰極電極に一端が接合され、他端が素子１の上面に配設された陰極端子６と、上記陽極端子５と陰極端子６の少なくとも一部が表出した状態で素子１を封止した内装フィルム７と、この内装フィルム７を被覆した外装樹脂８からなる構成により、簡単な構成で作業性と寸法精度の向上を図って低コスト化を実現すると共に、低抵抗化と低背化が図れる。【選択図】図１
2010034120.tif 000002
【特許請求の範囲】
【請求項１】
陽極電極と陰極電極を対向する端面から夫々取り出すように形成された素子と、この素子に含浸された電解液と、上記素子の一方の端面から取り出した複数の陽極電極を結束するようにして一端が接合されると共に、この接合部を除く部分の少なくとも一部が素子の下面（または上面）に当接するように配設された陽極端子と、上記素子の他方の端面から取り出した複数の陰極電極を結束するようにして一端が接合されると共に、この接合部を除く部分の少なくとも一部が素子の上面（または下面）に当接するように配設された陰極端子と、上記陽極端子ならびに陰極端子の夫々の他端の少なくとも一部が表出した状態で上記素子ならびに陽極端子、陰極端子を一体に被覆して封止した絶縁性の内装フィルムと、この内装フィルムを被覆した絶縁性の外装樹脂からなる電気二重層キャパシタ。
【請求項２】
陽極電極と陰極電極を対向する端面から夫々取り出すように形成された素子として、金属箔からなる集電体上に分極性電極層を形成したシート状の陽極電極と陰極電極を、その間にシート状のセパレータを介在させた状態で複数層積層した素子を用いた請求項１に記載の電気二重層キャパシタ。
【請求項３】
素子の最上段と最下段に夫々陰極電極が配設されるようにした請求項２に記載の電気二重層キャパシタ。
【請求項４】
陽極電極と陰極電極を対向する端面から夫々取り出すように形成された素子として、交互に折り返すことにより積層状に折り曲げられたセパレータと、両面に分極性電極層を形成して上記積層状に折り曲げられたセパレータの各層間に交互に配設されたシート状の陽極電極ならびに陰極電極からなる素子を用いた請求項１に記載の電気二重層キャパシタ。
【請求項５】
陽極電極と陰極電極を対向する端面から夫々取り出すように形成された素子として、交互に折り返すことにより積層状に折り曲げられたセパレータと、両面に分極性電極層を形成して上記積層状に折り曲げられたセパレータの各層間に交互に配設されたシート状の陽極電極ならびに陰極電極と、片面に分極性電極層を形成して上記セパレータの最上段と最下段に夫々分極性電極層が当接するようにして配設されたシート状の陰極電極からなる素子を用いた請求項１に記載の電気二重層キャパシタ。
【請求項６】
絶縁性の内装フィルムで封止された素子を１つのセルとし、このセルを複数個接続して絶縁性の外装樹脂で一体に被覆した請求項１に記載の電気二重層キャパシタ。
【発明の詳細な説明】
【技術分野】
【０００１】
本発明は各種電子機器、電気機器、携帯機器等に使用される電気二重層キャパシタに関するものである。
【背景技術】
【０００２】
電気二重層キャパシタは、分極性電極と電解液との界面に形成される電気二重層に蓄積される電気エネルギーを利用するものであり、このような電気二重層キャパシタは、小型化が図れ、かつ、大容量の充電が可能なキャパシタとして、マイコン、メモリ、タイマーのバックアップ用、各種電源のアシスト用等に広く用いられているものである。
【０００３】
図１３はこの種の従来の電気二重層キャパシタの構成を示した断面図であり、図１３において、２１は電気二重層キャパシタを示し、この電気二重層キャパシタは、電解質溶液が含浸された長尺のセパレータ２２が所定長ごとに異なる方向に交互に折り返され、蛇腹状にされたセパレータ２２間に該セパレータ２２を介して互いに異なる極が対面するように複数の電極板２３が積層されている。各電極板２３の端部には、電極板２３と略同幅で可撓性の集電部材２４が接続されており、集電部材２４は電極板２３の全長に亘って埋設されている。
【０００４】
各電極板２３は前記のように蛇腹状に折り返されているセパレータ２２により一方の端部が包み込まれると共に、セパレータ２２に包み込まれていない方の端部は側面に露出しており、前記集電部材２４は該露出している方の端部でセパレータ２２間から引き出される。各電極板２３は前記端部が交互に逆側の側面に露出しているので、前記集電部材２４は同極ごとに纏められ、断面視Ｃ字状の結束部材２５により結束される。結束部材２５は、それ自体導電性の材料により構成されている。
【０００５】
そして、結束部材２５による集電部材２４の結束部分２６、２７は、同極ごとに電極板２３の積層方向の相異なる最外層側に、例えば図１３の場合には、結束部分２６は最上層側に、結束部分２７は最下層側に配置されるようになり、さらに、このように構成された電気二重層キャパシタが該電極板２３の積層方向に複数積層されるように構成されたものである。
【０００６】
このように構成された従来の電気二重層キャパシタは、各電極板２３の端部に接続された可撓性の集電部材２４を前記セパレータ２２間から引き出すことにより、該集電部材２４が同極ごとに結束されることにより、前記集電部材２４を各電極板２３に接続するために前記セパレータ２２が損傷される虞れがなく、容易に製造することができ、さらに、この電気二重層キャパシタを単セルとし、この単セルを積層することにより、容易に直列接続できるというものであった。
【０００７】
なお、この出願の発明に関連する先行技術文献情報としては、例えば、特許文献１が知られている。
【特許文献１】特許第３４２３８５２号公報
【発明の開示】
【発明が解決しようとする課題】
【０００８】
しかしながら上記従来の電気二重層キャパシタでは、セパレータ２２が損傷されることなく、容易に製造することができ、しかもこれを単セルとし、この単セルを積層することによって容易に直列接続できるという特徴を有するものの、このような単セル、あるいは積層された複数のセルに電解質溶液を含浸してキャパシタ装置とするためには、不導電性樹脂であるポリテトラフルオロエチレン（ＰＴＦＥ）からなるケース部材を用いて上記単セル、あるいは積層された複数のセルを収容して封止しなければならないため、製品が大型化するばかりでなく、高いコストのものになってしまうという課題があった。
【０００９】
本発明はこのような従来の課題を解決し、簡単な構成により小型化と低コスト化を実現することが可能な電気二重層キャパシタを提供することを目的とするものである。
【課題を解決するための手段】
【００１０】
上記課題を解決するために本発明は、陽極電極と陰極電極を対向する端面から夫々取り出すように形成された素子と、この素子に含浸された電解液と、上記素子の一方の端面から取り出した複数の陽極電極を結束するようにして一端が接合されると共に、この接合部を除く部分の少なくとも一部が素子の下面（または上面）に当接するように配設された陽極端子と、上記素子の他方の端面から取り出した複数の陰極電極を結束するようにして一端が接合されると共に、この接合部を除く部分の少なくとも一部が素子の上面（または下面）に当接するように配設された陰極端子と、上記陽極端子ならびに陰極端子の夫々の他端の少なくとも一部が表出した状態で上記素子ならびに陽極端子、陰極端子を一体に被覆して封止した絶縁性の内装フィルムと、この内装フィルムを被覆した絶縁性の外装樹脂からなる構成にしたものである。
【発明の効果】
【００１１】
以上のように本発明による電気二重層キャパシタは、素子の対向する端面から取り出した夫々の電極を結束するようにして陽極端子、陰極端子を夫々接合し、この陽極端子、陰極端子を折り曲げて素子の上下面に配設し、これらを封止した構成により、簡単な構成により小型化と低コスト化を実現することができるようになるという効果が得られるものである。
【発明を実施するための最良の形態】
【００１２】
（実施の形態１）
以下、実施の形態１を用いて、本発明の特に請求項１、２、６に記載の発明について説明する。
【００１３】
図１は本発明の実施の形態１による電気二重層キャパシタの構成を示した断面図である。図２〜図６は同電気二重層キャパシタの製造方法を説明するためのもので、図２は同電気二重層キャパシタを構成する素子の構成を示した断面図、図３は図２に示した素子に陽極端子と陰極端子を接合した状態を示した断面図、図４は図３に示した素子に接合された陽極端子と陰極端子を折り曲げた状態を示した断面図、図５は図４に示した素子を上下方向に圧縮した状態を示した断面図、図６は図５に示した素子を絶縁性の内装フィルムで封止した状態を示した断面図である。なお、図１〜図６に示す素子は全て同一のものであるが、図１と図５と図６においては、素子の構成を分かり易くするために、積層枚数を少なくして記載しているものである。
【００１４】
図１〜図６において、１は素子を示し、この素子１はアルミニウム箔からなる集電体２の一端側の両面に分極性電極層２ａを形成したシート状の陽極電極２Ａと、同じくアルミニウム箔からなる集電体３の一端側の両面に分極性電極層３ａを形成したシート状の陰極電極３Ａを、その間に多孔質フィルム（本実施の形態においては耐熱性に優れたＰＴＦＥ（ポリテトラフルオロエチレン）フィルムを用いた）からなるシート状のセパレータ４を介在させて上記陽極電極２Ａの分極性電極層２ａと陰極電極３Ａの分極性電極層３ａが対向するようにして積層することにより、上記陽極電極２Ａの集電体２と陰極電極３Ａの集電体３が対向する端面に夫々表出すると共に、この表出した複数の陽極電極２Ａの集電体２と陰極電極３Ａの集電体３を夫々異なる側に束ねることによって形成されたものである。
【００１５】
５は上記素子１の一方の端面に表出して束ねられた複数の陽極電極２Ａの集電体２を結束するようにして一端が接合された陽極端子、６は同じく素子１の他方の端面に表出して束ねられた複数の陰極電極３Ａの集電体３を結束するようにして一端が接合された陰極端子であり、この陽極端子５と陰極端子６は夫々折り曲げられて素子１の下面ならびに上面に沿うように配設されているものである。
【００１６】
７は上記素子１に接合された陽極端子５と陰極端子６の他端の一部が表出した状態で素子１ならびに陽極端子５、陰極端子６を一体に被覆して封止した絶縁性の内装フィルムであり、上記素子１には図示しない電解液が含浸され、この状態で１つのセルとして機能するものであり、以下、これをセルと呼ぶ。また、上記内装フィルム７としては、本実施の形態においては耐熱性に優れたエポキシフィルムを用いたが、封止性と耐熱性を満足できるものであれば、上記材料に限定されるものではない。
【００１７】
８は上記陽極端子５と陰極端子６が接合され、かつ、電解液が含浸された素子１を内装フィルム７で封止したセルを２個重ね合わせ、このセルから表出した陽極端子５と陰極端子６が夫々表出した状態で被覆した絶縁性の外装樹脂であり、この外装樹脂８としては、本実施の形態においては耐熱性に優れたエポキシ樹脂を用いたが、封止性と耐熱性を満足できるものであれば、上記材料に限定されるものではない。
【００１８】
次に、このように構成された本実施の形態による電気二重層キャパシタの製造方法について説明すると、まず、図２に示すように、アルミニウム箔からなる集電体２の一端側の両面に分極性電極層２ａを形成したシート状の陽極電極２Ａと、同じくアルミニウム箔からなる集電体３の一端側の両面に分極性電極層３ａを形成したシート状の陰極電極３Ａと、上記陽極電極２Ａの分極性電極層２ａ、陰極電極３Ａの分極性電極層３ａの面積よりも若干大きく形成されたＰＴＦＥからなるシート状のセパレータ４を準備し、上記陽極電極２Ａと陰極電極３Ａとを、その間にセパレータ４を介在させて上記陽極電極２Ａの分極性電極層２ａと陰極電極３Ａの分極性電極層３ａが対向するようにして積層することにより、上記陽極電極２Ａの集電体２と陰極電極３Ａの集電体３が対向する端面に夫々表出すると共に、この表出した複数の陽極電極２Ａの集電体２と陰極電極３Ａの集電体３を夫々異なる側に束ねることによって素子１を作製する。
【００１９】
なお、上記素子１の最下段に配設される陽極電極と最上段に配設される陰極電極は、アルミニウム箔からなる集電体２の片面のみに分極性電極層２ａが形成された陽極電極２Ｂと、アルミニウム箔からなる集電体３の片面のみに分極性電極層３ａが形成された陰極電極３Ｂを用い、上記分極性電極層２ａ、３ａが夫々セパレータ４と当接するようにして配設した構成にしているものである。
【００２０】
このように構成される素子１は、簡単な構成によって作業性が向上するばかりでなく、図示しない治具を用いてセパレータ４を介して陽極電極２Ａと陰極電極３Ａを交互に積層し、最上段と最下段に陰極電極３Ｂと陽極電極２Ｂを配設するだけで高い寸法精度を確保することができるようになるものである。
【００２１】
また、上記陽極電極２Ａ、２Ｂと陰極電極３Ａ、３Ｂに夫々形成された分極性電極層２ａ、３ａは、活性炭粉末とカーボンブラックとバインダとを混練したものにより構成され、上記活性炭粉末としては、木粉系、ヤシガラ系、フェノール樹脂系、石油コークス系、石炭コークス系、ピッチ系の原料を賦活したものが用いられる。また、バインダとしては、ポリテトラフルオロエチレン、カルボキシメチルセルロースの水溶性バインダを混合したものが用いられるものである。
【００２２】
続いて、図３に示すように、上記素子１の対向する端面に複数が表出して夫々一体に束ねられた陽極電極２Ａ、２Ｂの集電体２と陰極電極３Ａ、３Ｂの集電体３に、アルミニウム板等からなる陽極端子５の一端と同様に形成された陰極端子６の一端を夫々抵抗溶接等の手段によって接合した後、図４に示すように、上記陽極端子５と陰極端子６を夫々折り曲げて、陽極端子５が素子１の下面に沿うように配設すると共に、陰極端子６が素子１の上面に沿うように配設する。なお、陽極端子５と陰極端子６を素子１の上下面に夫々配設する方向は逆であっても良く、同じ方向に重ならないようにすれば良いものである。
【００２３】
続いて、図５に示すように、上記素子１をプレス加工することによって極めて薄い偏平な状態にする。これにより、素子１の対向する端面に夫々表出した陽極電極２Ａ、２Ｂの集電体２と陰極電極３Ａ、３Ｂの集電体３は、夫々分極性電極層２ａ、３ａが存在しない分だけ押し潰されて更に薄くなり、この薄くなった部分に陽極端子５、陰極端子６との接合部が配設されることになるため、素子１の全体の厚さに影響を与えることがないことから素子１の薄形化に大きく貢献することができるようになるものである。
【００２４】
なお、このようなプレス加工工程は上記製造工程の順序で行うことに限定されるものではなく、例えば、上記図２に示した素子１を作製した時点でプレス加工を行い、その後に陽極端子５、陰極端子６を接合するようにしても構わないものである。
【００２５】
続いて、図６に示すように、上記素子１に図示しない電解液を含浸し、上記陽極端子５と陰極端子６の一部が夫々表出した状態で素子１をエポキシフィルムからなる絶縁性の内装フィルム７で封止することにより、１つのセルを作製する。
【００２６】
なお、上記電解液としては、溶媒として、プロピレンカーボネート、γ−ブチロラクトン、エチレンカーボネート、スルホラン、アセトニトリル、ジメチルカーボネート、ジエチルカーボネートまたはメチルエチルカーボネートのいずれか１種もしくは２種以上の混合物を使用することができる。電解質カチオンとしては、第四級アンモニウム、第四級ホスホニウム、イミダゾリウム塩が使用でき、電解質アニオンとしては、ＢＦ4-、ＰＦ6-、ＣｌＯ4-、ＣＦ3ＳＯ3-またはＮ（ＣＦ3ＳＯ2）2-を使用することができるものである。
【００２７】
続いて、図１に示すように、上記図６に示したセルを２個重ね合わせ、このセルから表出した陽極端子５と陰極端子６が夫々表出した状態でエポキシ樹脂からなる絶縁性の外装樹脂８で被覆することにより、本実施の形態による電気二重層キャパシタが作製されるものである。
【００２８】
このように構成された本実施の形態による電気二重層キャパシタは、陽極電極２Ａと陰極電極３Ａをセパレータ４を介して積層した素子１の対向する端面に表出した陽極電極２Ａ（２Ｂも含む）の集電体２と陰極電極３Ａ（３Ｂも含む）の集電体３に陽極端子５と陰極端子６を夫々接合し、これを絶縁性の内装フィルム７で封止し、更に絶縁性の外装樹脂８で被覆した構成により、簡単な構成により作業性と寸法精度の向上を図って低コスト化を実現すると共に、低抵抗化と低背化を図ることができるようになるという格別の効果を奏するものである。
【００２９】
また、素子１の対向する端面に表出した陽極電極２Ａ（２Ｂも含む）の集電体２と陰極電極３Ａ（３Ｂも含む）の集電体３に陽極端子５と陰極端子６を夫々接合し、この陽極端子５と陰極端子６を素子１の下面ならびに上面に沿って折り曲げた構成により、素子１の膨れを防止して安定した性能を発揮することができるようになると共に、陽極電極２Ａ（２Ｂも含む）の集電体２と陽極端子５の接合部、ならびに陰極電極３Ａ（３Ｂも含む）の集電体３と陰極端子６の接合部を素子１の高さ寸法の範囲内に収めることができるため、低背化を実現することができるようになるという格別の効果を奏するものである。
【００３０】
また、電解液が含浸された素子１を絶縁性の内装フィルム７で封止し、更にこれを絶縁性の外装樹脂８で被覆した構成により、高い封止性能と高い耐熱性を発揮することができるようになるという格別の効果を奏するものである。
【００３１】
（実施の形態２）
以下、実施の形態２を用いて、本発明の特に請求項３に記載の発明について説明する。
【００３２】
本実施の形態は、上記実施の形態１で図１〜図６を用いて説明した電気二重層キャパシタの素子の構成が一部異なるようにしたものであり、これ以外の構成は実施の形態１と同様であるために同一部分には同一の符号を付与してその詳細な説明は省略し、異なる部分についてのみ以下に図面を用いて説明する。
【００３３】
図７は本発明の実施の形態２による電気二重層キャパシタを構成する素子の構成を示した断面図であり、図７において、９は素子を示し、この素子９は上記実施の形態１で説明した素子１と同様に形成されると共に、素子９の最上段と最下段には片面のみに分極性電極層３ａが形成された陰極電極３Ｂが配設されるように構成されたものである。
【００３４】
また、図示はしないが、上記素子９はプレス加工することによって極めて薄い偏平な状態に加工されると共に、この素子９には電解液が含浸され、上記陽極端子５と陰極端子６の一部が表出した状態で素子９を絶縁性の内装フィルム７で封止し、更にこれを絶縁性の外装樹脂８で被覆して、本実施の形態による電気二重層キャパシタを構成するのは上記実施の形態１と同様である。
【００３５】
このように構成された本実施の形態による電気二重層キャパシタは、上記実施の形態１による電気二重層キャパシタにより得られる効果に加え、素子９の最上段ならびに最下段に陰極電極３Ｂを配設した構成により、陽極電極２Ａの面積よりも陰極電極３Ａ、３Ｂの面積が大きくなるために、陽極電極２Ａの局所部で発生する腐食反応を抑制して安定した性能を発揮することができるようになるという格別の効果を奏するものである。
【００３６】
（実施の形態３）
以下、実施の形態３を用いて、本発明の特に請求項４に記載の発明について説明する。
【００３７】
本実施の形態は、上記実施の形態１で図１〜図６を用いて説明した電気二重層キャパシタの素子の構成が一部異なるようにしたものであり、これ以外の構成は実施の形態１と同様であるために同一部分には同一の符号を付与してその詳細な説明は省略し、異なる部分についてのみ以下に図面を用いて説明する。
【００３８】
図８は本発明の実施の形態３による電気二重層キャパシタの構成を示した断面図である。図９〜図１１は同電気二重層キャパシタの製造方法を説明するためのもので、図９は同電気二重層キャパシタを構成する素子の構成を示した断面図、図１０は図９に示した素子を上下方向に圧縮した状態を示した断面図、図１１は図１０に示した素子を絶縁性の内装フィルムで封止した状態を示した断面図である。なお、図８〜図１１に示す素子は全て同一のものであるが、図８と図１０と図１１においては、素子の構成を分かり易くするために、積層枚数を少なくして記載しているものである。
【００３９】
図８〜図１１において、１０は素子を示し、この素子１０はアルミニウム箔からなる集電体２の一端側の両面に分極性電極層２ａを形成したシート状の陽極電極２Ａと、同じくアルミニウム箔からなる集電体３の一端側の両面に分極性電極層３ａを形成したシート状の陰極電極３Ａを、その間にＰＴＦＥフィルムからなるセパレータ１１を介在させて上記陽極電極２Ａの分極性電極層２ａと陰極電極３Ａの分極性電極層３ａが対向するようにして積層することにより、上記陽極電極２Ａの集電体２と陰極電極３Ａの集電体３が対向する端面に夫々表出すると共に、この表出した複数の陽極電極２Ａの集電体２と陰極電極３Ａの集電体３を夫々異なる側に束ねることによって形成されたものである。
【００４０】
また、上記素子１０の製造方法について説明すると、まず、ＰＴＦＥからなる長尺のセパレータ１１を交互に折り返すことにより積層状（一般に、つづら折りとも呼ばれている）に折り曲げる。次に、アルミニウム箔からなる集電体２の一端側の両面に分極性電極層２ａを形成したシート状の陽極電極２Ａと、同じくアルミニウム箔からなる集電体３の一端側の両面に分極性電極層３ａを形成したシート状の陰極電極３Ａを上記セパレータ１１の各層間に交互に配設されるようにして挿入すると共に、上記陽極電極２Ａの分極性電極層２ａと陰極電極３Ａの分極性電極層３ａがセパレータ１１を介して対向するようにする。
【００４１】
そして、上記陽極電極２Ａの集電体２と陰極電極３Ａの集電体３が対向する端面に夫々表出すると共に、この表出した複数の陽極電極２Ａの集電体２と陰極電極３Ａの集電体３を夫々異なる側に束ねることによって素子１０を作製する。
【００４２】
なお、上記素子１０の最下段に配設される陽極電極と最上段に配設される陰極電極は、アルミニウム箔からなる集電体２の片面のみに分極性電極層２ａが形成された陽極電極２Ｂと、アルミニウム箔からなる集電体３の片面のみに分極性電極層３ａが形成された陰極電極３Ｂを用い、上記分極性電極層２ａ、３ａが最下段のセパレータ１１、最上段のセパレータ１１と夫々当接するようにして配設した構成にしているものである。
【００４３】
また、このように構成された素子１０をプレス加工することによって図１０に示すように極めて薄い偏平な状態にし、この素子１０に電解液を含浸した後、図１１に示すように、陽極端子５と陰極端子６の一部が表出した状態で素子１０を絶縁性の内装フィルム７で封止し、更にこれを図８に示すように、絶縁性の外装樹脂８で被覆して本実施の形態による電気二重層キャパシタが構成されるものである。
【００４４】
このように構成された本実施の形態による電気二重層キャパシタは、上記実施の形態１による電気二重層キャパシタにより得られる効果に加え、素子１０を簡単な構成にすることによって作業性が向上するばかりでなく、折り曲げられたセパレータ１１の各層間に陽極電極２Ａと陰極電極３Ａを交互に挿入するだけで高い寸法精度を確保することができるようになるという格別の効果を奏するものである。
【００４５】
（実施の形態４）
以下、実施の形態４を用いて、本発明の特に請求項５に記載の発明について説明する。
【００４６】
本実施の形態は、上記実施の形態３で図８〜図１１を用いて説明した電気二重層キャパシタの素子の構成が一部異なるようにしたものであり、これ以外の構成は実施の形態３と同様であるために同一部分には同一の符号を付与してその詳細な説明は省略し、異なる部分についてのみ以下に図面を用いて説明する。
【００４７】
図１２は本発明の実施の形態４による電気二重層キャパシタを構成する素子の構成を示した断面図であり、図１２において、１２は素子を示し、この素子１２は上記実施の形態３で説明した素子１０と同様に形成されると共に、素子１２の最上段と最下段には、片面のみに分極性電極層３ａが形成された陰極電極３Ｂが夫々配設されると共に、この陰極電極３Ｂに形成された分極性電極層３ａが最上段、最下段のセパレータ１１と夫々当接するように構成されたものである。
【００４８】
また、図示はしないが、上記素子１２はプレス加工することによって極めて薄い偏平な状態に加工されると共に、この素子１２には電解液が含浸され、上記陽極端子５と陰極端子６の一部が表出した状態で素子１２を絶縁性の内装フィルム７で封止し、更にこれを絶縁性の外装樹脂８で被覆して、本実施の形態による電気二重層キャパシタを構成するのは上記実施の形態３と同様である。
【００４９】
このように構成された本実施の形態による電気二重層キャパシタは、上記実施の形態３による電気二重層キャパシタにより得られる効果に加え、素子１２の最上段ならびに最下段に夫々陰極電極３Ｂを配設した構成により、陽極電極２Ａの面積よりも陰極電極３Ａ、３Ｂの面積が大きくなるために、陽極電極２Ａの局所部で発生する腐食反応を抑制して安定した性能を発揮することができるようになるという格別の効果を奏するものである。
【産業上の利用可能性】
【００５０】
本発明による電気二重層キャパシタは、簡単な構成により作業性と寸法精度の向上を図って低コスト化を実現すると共に低抵抗化と低背化を図り、更に、陽極電極の局所部で発生する腐食反応を抑制して安定した性能を発揮することができるという効果を有し、各種電源のアシスト用分野等として有用である。
【図面の簡単な説明】
【００５１】
【図１】本発明の実施の形態１による電気二重層キャパシタの構成を示した断面図
【図２】同電気二重層キャパシタを構成する素子の構成を示した断面図
【図３】図２に示した素子に陽極端子と陰極端子を接合した状態を示した断面図
【図４】図３に示した素子に接合された陽極端子と陰極端子を折り曲げた状態を示した断面図
【図５】図４に示した素子を上下方向に圧縮した状態を示した断面図
【図６】図５に示した素子を絶縁性の内装フィルムで封止した状態を示した断面図
【図７】本発明の実施の形態２による電気二重層キャパシタを構成する素子の構成を示した断面図
【図８】本発明の実施の形態３による電気二重層キャパシタの構成を示した断面図
【図９】同電気二重層キャパシタを構成する素子の構成を示した断面図
【図１０】図９に示した素子を上下方向に圧縮した状態を示した断面図
【図１１】図１０に示した素子を絶縁性の内装フィルムで封止した状態を示した断面図
【図１２】本発明の実施の形態４による電気二重層キャパシタを構成する素子の構成を示した断面図
【図１３】従来の電気二重層キャパシタの構成を示した断面図
【符号の説明】
【００５２】
１、９、１０、１２  素子
２、３  集電体
２ａ、３ａ  分極性電極層
２Ａ、２Ｂ  陽極電極
３Ａ、３Ｂ  陰極電極
４、１１  セパレータ
５  陽極端子
６  陰極端子
７  内装フィルム
８  外装樹脂
【図１】
2010034120.tif 000003
【図２】
2010034120.tif 000004
【図３】
2010034120.tif 000005
【図４】
2010034120.tif 000006
【図５】
2010034120.tif 000007
【図６】
2010034120.tif 000008
【図７】
2010034120.tif 000009
【図８】
2010034120.tif 000010
【図９】
2010034120.tif 000011
【図１０】
2010034120.tif 000012
【図１１】
2010034120.tif 000013
【図１２】
2010034120.tif 000014
【図１３】
2010034120.tif 000015